(57)【要約】【課題】  保守、点検の時間を延長できると共に、データの信頼性を向上させる。【解決手段】  制御プログラムを格納する読み書き可能な不揮発性メモリと、処理データを蓄積する揮発性メモリと、前記不揮発性メモリに装置制御プログラムを格納するためのＩ／Ｆ手段と前記揮発性メモリ内の有効データを識別し、また、装置全体を制御する制御手段と、装置通電時、充電し、非通電時、放電するバックアップ電池と、装置通電時、主電源手段から、前記メモリの電力供給を行い、装置非通電時、前記バックアップ電池から、昇圧手段を通し、電力供給をする切り替え手段とで構成される。【選択図】  図１
2008054108.tif 000002
【特許請求の範囲】
【請求項１】
制御プログラムを格納する読み書き可能な不揮発性メモリと、処理データを蓄積する揮発性メモリと、
前記不揮発性メモリに装置制御プログラムを格納するためのＩ／Ｆ手段と
前記揮発性メモリ内の有効データを識別し、また、装置全体を制御する制御手段と、
装置通電時、充電し、非通電時、放電するバックアップ電池と、
装置通電時、主電源手段から、前記メモリの電力供給を行い、装置非通電時、前記バックアップ電池から、昇圧手段を通し、電力供給をする切り替え手段とを備え、
前記揮発性メモリ内に、有効データが存在する場合、前記不揮発性メモリに、該有効データを移行することが可能なファクシミリ機能を有する装置。
【請求項２】
前記揮発性メモリ内に、有効データが存在する場合、前記不揮発性メモリに、該有効データを移行後、前記揮発性メモリをセルフリフレッシュモードに移行する制御を行うことを特徴とする請求項１記載の装置。
【請求項３】
前記揮発性メモリ内に、有効データが存在する場合、前記不揮発性メモリに、該有効データを移行の際、有効データ分の領域を確保し、前記不揮発性メモリに保存するプログラムを有する請求項１の装置。
【請求項４】
前記有効データ移行の際、前記不揮発性メモリ内の一部装置制御プログラム領域内に、移行可能なプログラムを有する請求項１の装置。
【請求項５】
前記有効データ移行の際、前記不揮発性メモリ内のデータ領域内に、移行しないことを特徴とする請求項１の装置。
【発明の詳細な説明】
【技術分野】
【０００１】
本発明は情報処理装置(ファクシミリ等)における、画像データの保護の方法に関するものである。
【背景技術】
【０００２】
ファクシミリ装置での、画像蓄積用メモリとして、通常はＤＲＡＭが使用されている。このＤＲＡＭに、機器本体主電源停止後も、画像を蓄積するため、バックアップ回路を有しているのが一般的である。このバックアップ回路としては、２次電池を用いたものが一般的であった。(特許文献１参照)
また、容量大、容量小の画像メモリを持つものも提案されている。(特許文献２参照)
【特許文献１】特開平０８−１２９５１１号公報(第１２頁、図１)
【特許文献２】特開平０９−１７２５２９号公報(第１６頁、図１２)
【発明の開示】
【発明が解決しようとする課題】
【０００３】
しかしながら、上述した、従来の技術では、２次電池の充電時間に時間が必要であり、かつ、十分な充電容量が確保されている保証がないため、メンテナンスに要する時間以上に前記画像データがバックアップ可能か、確証がなかった。
【０００４】
また、画像メモリを２つ持つことは、コストアップの要因となり、また、バックアップ回路の複雑化、２次電池の大容量化を伴い、周辺回路のコストアップとなる。
【課題を解決するための手段】
【０００５】
上述した課題を解決するために、本発明は、画像データが前記メモリ内に確保され、メンテナンス等を行う場合、機器の制御プログラムが格納されているフラッシュメモリ内の領域に、前記画像データを退避することを特徴とする。
【発明の効果】
【０００６】
本発明により、画像データが機器本体に保存された状態において、メンテナンスを行う場合、低コストにて、画像データのバックアップ時間に制限がなくなると同時に、データの信頼性が高まる。また、ユーザーの画像データを、アップロード、印字出力等しないため、セキュリティの高いメンテナンス等が行える。
【発明を実施するための最良の形態】
【０００７】
以下、本発明の実施例の図面を参照し、説明する。
【０００８】
図１は、本発明の第一の実施例による構成図である。
【実施例１】
【０００９】
図１において、実施例の画像形成機の構成を示し、図２を用い基本動作を説明する。１０１は、装置全体を制御する制御部。１０２は、装置を駆動する電力を出力する主電源部。１０３は、２次電池。１０４は、１０３；２次電池を充電する充電制御部。１０５は、画像データを蓄積するＤＲＡＭ。１０６は、１０３；２次電池の電圧を昇圧し１０５；ＤＲＡＭの動作電圧を発生する昇圧部。１０７は、１０５；ＤＲＡＭの電圧を、１０２；主電源部から供給するか、１０６；昇圧部から供給するかの切り替えを行う切り替え制御部。１０８は、装置全体を制御するプログラムの格納されているＦＬＡＳＨＲＯＭ。１０９は、１０８；ＦＬＡＳＨＲＯＭに格納するプログラムをダウンロードするためのＵＳＢ  Ｉ／Ｆ部。１１０は、公衆回線と接続される、回線Ｉ／Ｆ部。１１１は、ファクシミリデータのエンコード、デコードＭＯＤＥＭ。１１２は、１０１；制御部からのデータを記録する記録部。１１３は、原稿を読み取り、制御部に画像データを出力する読み取り部。１１４は装置の状態を表示、また、使用者からの入力部となる、表示操作部である。
【００１０】
以上の構成にて、動作を説明する。１０２；主電源部が起動し、装置が通常動作時において、１０５；ＤＲＡＭの電力は１０２；主電源部から、１０７；切り替え制御部を通し供給される。また、同時に、１０４；充電制御部を通し、電流が供給され、１０３；２次電池を充電する。
【００１１】
また、１１０；回線Ｉ／Ｆ部を通して、１１１；ＭＯＤＥＭにファクシミリのデータが受信され、記録紙無し、トナー無し等のなんらかの原因で、１１２；記録部を非動作、記録出力が不可能な場合、この受信データは１０１；制御部を通し、１０５；ＤＲＡＭへ保存される。
【００１２】
一方、１０２；主電源部停止時、１０１；制御部は１０５；ＤＲＡＭをセルフリフレッシュモードに移行させ、また、１０７；切り替え部を切り替え、１０５；ＤＲＡＭの電力供給を、１０３；２次電池の電圧を、１０６；昇圧部で昇圧し、１０７；切替制御部を通し供給する。
【００１３】
図２は本発明、実施例の動作を説明するフローチャートである。Ｓ２０１にて、装置のメンテナンス等、１０３；２次電池のバックアップ時間を越える１０２；主電源の停止があるか検証する。Ｓ２０２にて、ファクシミリの画像データが、１０５；ＤＲＡＭ内にあるかどうか検証する。もし、画像データが無い場合には、Ｓ２１０にて、メンテナンス等の終了を待つ。該ＤＲＡＭ内に画像データがあった場合、Ｓ２０３にて、１１３；表示操作部から、サービスモードに移行指示後、該当モードに移行する。Ｓ２０４にて、ファクシミリ画像データ保存のための容量が、１０８；ＦＬＡＳＨＲＯＭ内にあるかどうか検証する。もし、容量が無い場合には、Ｓ２０５にて、１０５；ＦＬＡＳＨＲＯＭの領域を確保する。次に、Ｓ２０６にて、ファクシミリの画像データを、１０８；ＦＬＡＳＨＲＯＭ内に書き込み、保存する。Ｓ２０７にて、メンテナンス等の終了を待ち、Ｓ２０８にて、メンテナンス等終了後、装置を起動し、ファクシミリの画像データを、１０８；ＦＬＡＳＨＲＯＭから、１０１；制御部を通し、１０５；ＤＲＡＭへ移行する。その後、Ｓ２０９にて、１０９；ＵＳＢ  Ｉ／Ｆ部から、装置のプログラムを、１０８；ＦＬＡＳＨＲＯＭに書き込み、保存し、終了する。
【実施例２】
【００１４】
なお、１０８；ＦＬＡＳＨＲＯＭへの有効データ保存後、１０５；ＤＲＡＭの電力供給を１０７；切替制御部で停止してもよい。
【図面の簡単な説明】
【００１５】
【図１】本発明の第一の実施例による構成図
【図２】実施例の動作を説明するフローチャート
【符号の説明】
【００１６】
１０１  制御部
１０２  主電源部
１０３  ２次電池
１０４  充電制御部
１０５  ＤＲＡＭ
１０６  昇圧部
１０７  切替制御部
１０８  ＦＬＡＳＨＲＯＭ
【図１】
2008054108.tif 000003
【図２】
2008054108.tif 000004